(57)【要約】【課題】      本考案はペットボトルを保持する機能を小さく、軽くすることにより、いつでも、どこでもペットボトルを所持する機能を利用できるようにするもの。【解決手段】  本考案は既存のプラスチックなどで製作されたストッパー及び太さ３ｍｍ程度の紐を組合わせることにより、簡単にペットボトルを固定できる機能と、その固定部に付属したホールド部により、ペットボトルをいつでも、どこでも容易に使用できる利便性を、安価に実現したものである。【選択図】図１
0003125388.tif 000002
【実用新案登録請求の範囲】
【請求項１】
太さ３ｍｍ前後、長さ４５から５０ｃｍ程度の紐の片方を輪状にし、ストッパーにつけ、輪状にした紐をペットボトルの首に回し締めることにより、ペットボトルを容易に固定することができる簡易型ペットボトルホルダー。
【請求項２】
上記ペットボトルホルダーの輪状でない片方の紐の部分を使用者の手の大きさに合わせて結ぶことにより輪状にし、手首にかけてホルダーとして使用する。
【請求項３】
上記ペットボトルホルダーの輪状でない片方の紐を帯状のものに置き換えたものでその長さにより手首にかけて保持する形状のものと、首よりかける形状のもの。
【請求項４】
前記ペットボトルホルダーのストッパーにフックをつけることにより、腰のベルトに掛けまたはデイバッグなどにかけることにより容易にペットボトルを保持できる形状のもの。
【考案の詳細な説明】
【技術分野】
【０００１】本考案は、紐及びストッパーを組合わせたペットボトル固定部と、ペットボトルを容易に保持できるホールド部で構成され、ペットボトルを容易に固定・保持できるものである。また。ペットボトルの首の部分を固定する形状のため、ペットボトルのサイズを選ばない特徴がある。
【背景技術】
【０００２】既存のペットボトルホルダー（特に５００ｍｌ用）は、ペットボトル全体をカバーしている形状のものが大多数であり、ペットボトルを所持していない時は、携行するのにかさばり、ホルダーのみを持っていくことに抵抗があった。
と同時に、対応するペットボトルのサイズが限定されていた。
【考案の開示】
【考案が解決しようとする課題】
【０００３】前期のような場面で、外出時などに途中でペットボトルを購入した場合、バッグに入れるか、手で持ち歩くかしか方法がなく、不便を感じていたことを解決するものである。
【課題を解決するための手段】
【０００４】容易にペットボトルを保持できる機能を、小さく、軽量にすることにより、持ち歩くにもかさばらず、いつでも、どこにでも所持できる形状にすることにより解決している。
【考案の効果】
【０００５】ペットボトル持ち歩く際、持ちやすくするための機能を、既存の知られている材料の組み合わせ及び改良により、安価に製作でき、また常に携行することが容易になることから、ペットボトルを持ち歩くことの不便さを解消できる。
【考案を実施するための最良の形態】
【０００６】輪状の紐をペットボトルの首の部分かけ、ストッパーにより輪状の紐を締めることにより容易にペットボトルを固定できる。
ペットボトルを保持する固定部に、容易に携行しやすくするホールド部分として手でホールドする機能、首からかけてホールドする機能、腰等に下げてホールドする機能を付加することにより利便性の向上が図れる。
【実施例】
【０００７】ボタンにより輪状の紐を大小に調節できるストッパーと、その輪の紐をペットボトルの首の部分にまきつけ、締めることによりペットボトルを固定する。【０００８】ペットボトル固定部＋固定部に使用の紐と一体化した太さ３ｍｍ程度の紐をホールド部とするもの。紐を手の大きさにあわせて結び、輪状にして使用する。【０００９】ペットボトル固定部＋手あたりを柔らかくするためにホールド部を帯状とするもの。【００１０】ペットボトル固定部＋首から提げて使用できるようにするためにホールド部を長さを調節できる帯状とするもの。【００１１】ペットボトル固定部＋腰等から下げて使用できるようにホールド部としてストッパーと一体化したフック機能を付け加えたもの。
【図面の簡単な説明】
【００１２】
【図１】ホルダー部に紐を使用した簡易型ペットボトルホルダーの基本型
【図２】ホルダー部に帯状の紐を使用した簡易型ペットボトルホルダーの改良型
【図３】ホルダー部に長さを調節できる帯状の紐を使用した簡易型ペットボトルホルダーの首掛け型
【図４】ホルダー部として固定部に、ストッパーと一体化したフックを付けることにより腰等から下げられる簡易型ペットボトルホルダーのぶらさげ型
【符号の説明】
【００１３】１  スプリングを内蔵し、ボタンにより紐を固定できるストッパー
２  太さ３ｍｍ程度の紐で、ストッパーにより輪を大小に調節することによりペットボトルを固定する固定部
３  太さ３ｍｍ程度の紐で、使用者の手の大きさに合わせて結ぶことにより、手首にかけてペットボトルを保持するホールド部
４  手当たりをやわらかくするため、帯状としたホールド部
５  首からさげて使用できるよう、長さを調節できる帯状としたホールド部
６  腰等から下げて使用できるよう、フック機能を一体化したホールド部
【図１】
0003125388.tif 000003
【図２】
0003125388.tif 000004
【図３】
0003125388.tif 000005
【図４】
0003125388.tif 000006
【手続補正書】
【提出日】平成18年2月1日(2006.2.1)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの首の部分に巻きつけてキチンと収まる太さの紐の中央部を輪状にし、ストッパーにつけ、輪状にした紐をペットボトルの首に回し、ストッパーにて締めることにより、ペットボトルを容易に固定、保持できる簡易型ペットボトルホルダー固定部。
【手続補正２】
【補正対象書類名】明細書
【補正対象項目名】全文
【補正方法】変更
【補正の内容】
【考案の詳細な説明】
【技術分野】
【０００１】本考案は、紐及びストッパーを組合わせたペットボトル固定部と、ペットボトルを容易に保持できるホールド部で構成され、ペットボトルを容易に固定・保持できるものである。また。ペットボトルの首の部分を固定する形状のため、ペットボトルのサイズを選ばない特徴がある。
【背景技術】
【０００２】既存のペットボトルホルダー（特に５００ｍｌ用）は、ペットボトル全体をカバーしている形状のものが大多数であり、ペットボトルを所持していない時は、携行するのにかさばり、ホルダーのみを持っていくことに抵抗があった。
と同時に、対応するペットボトルのサイズが限定されていた。
【考案の開示】
【考案が解決しようとする課題】
【０００３】前期のような場面で、外出時などに途中でペットボトルを購入した場合、バッグに入れるか、手で持ち歩くかしか方法がなく、不便を感じていたことを解決するものである。
【課題を解決するための手段】
【０００４】容易にペットボトルを保持できる機能を、小さく、軽量にすることにより、持ち歩くにもかさばらず、いつでも、どこにでも所持できる形状にすることにより解決している。
【考案の効果】
【０００５】ペットボトル持ち歩く際、持ちやすくするための機能を、既存の知られている材料の組み合わせ及び改良により、安価に製作でき、また常に携行することが容易になることから、ペットボトルを持ち歩くことの不便さを解消できる。
【考案を実施するための最良の形態】
【０００６】輪状の紐をペットボトルの首の部分かけ、ストッパーにより輪状の紐を締めることにより容易にペットボトルを固定できる。
ペットボトルを保持する固定部に、容易に携行しやすくするホールド部分として手でホールドする機能、首からかけてホールドする機能、腰等に下げてホールドする機能を付加することにより利便性の向上が図れる。
【実施例】
【０００７】ボタンにより輪状の紐を大小に調節できるストッパーと、その輪の紐をペットボトルの首の部分にまきつけ、締めることによりペットボトルを固定する。【０００８】ペットボトル固定部＋固定部に使用の紐と一体化した太さ３ｍｍ程度の紐をホールド部とするもの。紐を手の大きさにあわせて結び、輪状にして使用する。
【図面の簡単な説明】
【０００９】
【図１】ホルダー部に紐を使用した簡易型ペットボトルホルダーの基本型
【符号の説明】
【００１０】１．スプリングを内蔵し、ボタンにより紐を固定できるストッパー
２．太さ３ｍｍ程度の紐で、ストッパーにより輪を大小に調節することによりペットボトルを固定する固定部
３．太さ３ｍｍ程度の紐で、使用者の手の大きさに合わせて結ぶことにより、手首にかけてペットボトルを保持するホールド部
【手続補正３】
【補正対象書類名】図面
【補正対象項目名】全図
【補正方法】変更
【補正の内容】
【図１】
0003125388.tif 000007